(57)【要約】【課題】スイング練習その他の練習が可能なゴルフ練習具の提供。【解決手段】このゴルフ練習具１０は、主柱１２、真直棒１３及び三脚１１を有する。真直棒１３を主柱１２に連結する連結具１４が備えられている。主柱１２は、鉛直方向に沿って立設され、真直棒１３は、主柱１２に対して任意の高さで任意の姿勢（交差角度）で配置される。連結具１４は、真直棒１３を主柱１２に対して固定する。ゴルフ練習具１０は、スイング練習をする練習者５０の近傍に配置され、練習グラウンドに立設される。真直棒１３は、練習者５０の視界に入るように設置される。【選択図】図５
2012200484.tif 000002
【特許請求の範囲】
【請求項１】
細長棒状の主柱と、
当該主柱を支持する脚と、
連結具を介して上記主柱に連結された細長真直棒とを有し、
上記連結具は、
上記主柱と嵌合して当該主柱の任意の位置に固定される第１固定部と、
上記細長真直棒を把持し、当該細長真直棒を上記主柱の長手方向に対して任意の角度で交差させる第２固定部とを備えているゴルフ練習具。
【請求項２】
上記脚は、ベース及び当該ベースに設けられた３本の支持棒を有し、
各支持棒の基端が上記ベースに回動可能に連結されており、各支持棒は、上記長手方向に沿って束ねられる第１姿勢と、上記ベースから放射状に展開した第２姿勢との間で姿勢変化可能である請求項１に記載のゴルフ練習具。
【請求項３】
上記第１固定部は、
外周面及び内周面を有する環状に形成され、当該内周面から径方向に当該外周面まで切り込まれたスリットを有するリング部材と、
上記スリットを挟んで対向するように上記外周面に立設された一対の締付板と、
当該一対の締付板に係合し、当該一対の締付板同士を近接又は離反させる締結部材とを有する請求項１又は２に記載のゴルフ練習具。
【請求項４】
上記第２固定部は、
貫通孔が設けられた保持ブロックを有し、
上記貫通孔の内面形状は、上記細長真直棒の外面形状に対応し、
上記保持ブロック及び上記細長真直棒は、当該細長真直棒が当該保持ブロックに一定の保持力で保持されるように所定のはめあい公差により嵌合されている請求項１から３のいずれかに記載のゴルフ練習具。
【請求項５】
上記保持ブロックは、上記第１固定部に回動可能に設けられている請求項１から４のいずれかに記載のゴルフ練習具。
【発明の詳細な説明】
【技術分野】
【０００１】
この発明は、ゴルフスイングその他ゴルフの練習に使用される器具に関するものである。
【背景技術】
【０００２】
ゴルフの上達の基準の一つは、ゴルファーが適宜選択したゴルフクラブを使用してゴルフボールを意図した方向に意図した距離だけ飛ばすことができるかどうかであり、そのためには、正しいスイングを身につけることが重要であると従来から考えられている。
【０００３】
ゴルフスイングは、アドレス姿勢、グリップ態様のほか、身体の回転、手首及び腕のターン等がきわめて複雑に関連しながら進行することによって構成され、バックスイングからダウンスイング及びフォロースイングへの一連の動作がスイングプレーンと称される仮想平面上に沿ってなされることが理想であるとされている。そのような理想のスイングを練習によって身につけることは至難の業であり、そのため、スイング練習のための器具が従来から種々提案されている（たとえば、特許文献１〜特許文献４参照）。
【先行技術文献】
【特許文献】
【０００４】
【特許文献１】特開２００９−１２５３２５号公報
【特許文献２】特開２００７−２２９３４５号公報
【特許文献３】特開２００６−１１６１６９号公報
【特許文献４】特開２０００−２１０４０５号公報
【発明の概要】
【発明が解決しようとする課題】
【０００５】
従来のスイング練習器具は、スイング中のゴルファーの身体の一部（たとえば手首）の動きを規制等するものであり、反復練習によってスイングを矯正する。
【０００６】
ところで、前述のようにゴルフスイングのメカニズムは複雑であって、その解析はきわめて困難である。概ねゴルフスイングは、アドレスの状態から右脚軸を中心とした右臀部ターン、当該右臀部ターンと同時に行う腕動作、手首動作及び胸部動作があり（いわゆるバックスイング）、続いてその反転動作に切り替わり（いわゆるダウンスイング）、さらにインパクト後の左脚軸を中心とした左臀部ターン、当該左臀部ターンと同時に行う腕動作、手首動作及び胸部動作がある。ゴルフスイングは、これらの動作が順次行われるものではなく、互いに関連しあいながら同時に進行する。そのため、スイング練習において、身体の一部の動きのみに着目して当該部分の軌道に規制をかける練習を繰り返したとしても、その練習の効果は得られにくいばかりか、却ってスイング全体のバランスが崩れてしまうおそれがある。
【０００７】
本願発明者は、スイング練習方法を研究し、正しいスイングを体得するためには、予め決められたスイングプレーンに合わせて身体の動きを矯正するよりも、クラブヘッドを所定の仮想軌道に沿って運ぶことによって理想のスイングプレーンが描かれるイメージを描く練習が効果的であるとの知見を得た。
【０００８】
本発明はかかる背景のもとになされたものであって、その目的は、効果的なスイング練習その他の練習が可能なゴルフ練習具を提供することである。
【課題を解決するための手段】
【０００９】
(1) 本発明に係るゴルフ練習具は、細長棒状の主柱と、当該主柱を支持する脚と、連結具を介して上記主柱に連結された細長真直棒とを有する。上記連結具は、上記主柱と嵌合して当該主柱の任意の位置に固定される第１固定部と、上記細長真直棒を把持し、当該細長真直棒を上記主柱の長手方向に対して任意の角度で交差させる第２固定部とを備えている。
【００１０】
この発明では、上記脚部によって上記主柱が支持される。この主柱は任意の姿勢で支持され得るが、典型的には鉛直方向に沿う姿勢で支持される。上記細長真直棒は、上記連結具を介して上記主柱に連結される。具体的には、上記連結具が上記第１固定部によって上記主柱の任意の位置に固定されると共に、上記細長真直棒は、上記第２固定部に把持されることによって、上記主柱に対して任意の角度で交差する。したがって、上記細長真直棒は、練習グラウンドに対して任意の高さの位置に、しかも任意の角度で配置される。
【００１１】
(2) 上記脚は、ベース及び当該ベースに設けられた３本の支持棒を備えていてもよい。その場合、各支持棒の基端が上記ベースに回動可能に連結されており、各支持棒は、上記長手方向に沿って束ねられる第１姿勢と、上記ベースから放射状に展開した第２姿勢との間で姿勢変化可能であるのが好ましい。
【００１２】
この構成では、上記脚は、いわゆる折り畳みが可能な三脚として構成される。この脚が上記第２姿勢に変化することによって上記主柱を安定的に支持することができる。また、上記脚が上記第１姿勢に変化することによって、上記主柱、細長真直棒及び脚が上記主柱の長手方向に沿って配置されるので、当該ゴルフ練習具がキャディバッグに容易に収納される。
【００１３】
(3) 上記第１固定部は、外周面及び内周面を有する環状に形成され、当該内周面から径方向に当該外周面まで切り込まれたスリットを有するリング部材と、上記スリットを挟んで対向するように上記外周面に立設された一対の締付板と、当該一対の締付板に係合し、当該一対の締付板同士を近接又は離反させる締結部材とから構成され得る。
【００１４】
この構成では、上記細長真直棒は、上記リング部材に挿入され、締結部材が操作されることによって一対の締付片により簡単に挟持され、固定される。
【００１５】
(4) 上記第２固定部は、貫通孔が設けられた保持ブロックを有していてもよい。上記貫通孔の内面形状は、上記細長真直棒の外面形状に対応し、上記保持ブロック及び上記細長真直棒は、当該細長真直棒が当該保持ブロックに一定の保持力で保持されるように所定のはめあい公差により嵌合されているのが好ましい。
【００１６】
この構成では、上記細長真直棒は、上記保持部路区の貫通孔に挿入されるだけで、一定の保持力で簡単に保持される。当該保持力は、上記はめあいに起因するものであるから、上記細長真直棒が上記保持ブロックに把持される部位が、簡単に変更される。換言すれば、上記保持ブロックは、上記細長真直棒の任意の位置を把持することができる。
【００１７】
(5) 上記保持ブロックは、上記第１固定部に回動可能に設けられている請求項１から４のいずれかに記載のゴ
【００１８】
この構成によれば、上記保持ブロックが上記第１固定部に対して回動することにより、上記主柱と交差する角度が簡単且つ迅速に変更される。
【発明の効果】
【００１９】
この発明によれば、上記細長真直棒が練習グラウンドに対して任意の高さ及び角度で配置されるので、ゴルファーの体格に合わせて上記細長真直棒が所要の姿勢に配置される。ゴルファーは、上記配置された細長真直棒に沿ってゴルフクラブのクラブヘッドを運ぶようにスイング練習をすることができる。当該練習は、いわゆる理想的なスイングプレーンを形成するイメージトレーニングとして有効であり、効果的な練習が可能となる。
【図面の簡単な説明】
【００２０】
【図１】図１は、本発明の一実施形態に係るゴルフ練習具１０の外観斜視図である。
【図２】図２は、ゴルフ練習具１０の外観斜視図である。
【図３】図３は、ゴルフ練習具１０の連結具１４の拡大図である。
【図４】図４は、連結具１４の分解斜視図である。
【図５】図５は、ゴルフ練習具１０の一使用態様を示す図である。
【図６】図６は、ゴルフ練習具１０の他の使用態様を示す図である。
【図７】図７は、ゴルフ練習具１０の他の使用態様を示す図である。
【図８】図８は、ゴルフ練習具１０の他の使用態様を示す図である。
【図９】図９は、ゴルフ練習具１０の他の使用態様を示す図である。
【図１０】図１０は、ゴルフ練習具１０の他の使用態様を示す図である。
【図１１】図１１は、ゴルフ練習具１０の他の使用態様を示す図である。
【図１２】図１２は、ゴルフ練習具１０の他の使用態様を示す図である。
【発明を実施するための形態】
【００２１】
以下、本発明の好ましい実施形態が、適宜図面が参照されつつ説明される。
【００２２】
図１及び図２は、本発明の一実施形態に係るゴルフ練習具１０の外観斜視図である。図１は使用状態を示し、図２は収納状態を示している。
【００２３】
ゴルフ練習具１０は、三脚１１（特許請求の範囲に記載された「脚」に相当）と、主柱１２と、真直棒１３（特許請求の範囲に記載された「細長真直棒」に相当）と、この真直棒１３を主柱１２に連結する連結具１４とを備えている。後に詳述されるが、このゴルフ練習具１０は、スイング練習をするゴルファーの近傍に配置され、三脚１１によって練習グラウンドに立設される。
【００２４】
本実施形態に係るゴルフ練習具１０の特徴とするところは、(a) 真直棒１３が主柱１２に対して任意の位置及び姿勢で保持されるようになっており、ゴルファーは、この真直棒１３を目印としてスイング練習をするようになっている点（図１参照）、及び(b) 三脚１１が畳める構造となっており（図２参照）、キャディバッグに容易に収納することができる点である。
【００２５】
三脚１１は、ベースブロック１５（特許請求の範囲に記載された「ベース」に相当）を備えており、これに３本の支持棒１６〜１８が取り付けられている。なお、この三脚１１は、カメラ用等として市販されているものが採用され得る。支持棒１６は、３つのブランクを有し、各ブランクが入れ子状に組み立てられている。これにより、支持棒１６は長手方向に伸縮することができる。本実施形態では、支持棒１６の長さは、縮短状態で１０ｃｍ程度であり、伸長状態で２５ｃｍ程度である。
【００２６】
支持棒１７、１８も支持棒１６と同様の構造である。詳しく図示されていないが、支持棒１６〜１８の基端は、図示されていないヒンジを介してベースブロック１５に回動可能に連結されている。これにより、各支持棒１６〜１８は、図１が示すようにベースブラック１５から放射状に開いた姿勢（特許請求の範囲に記載された「第２姿勢」に相当）に変化することができ、また、図２が示すように主柱１２の長手方向に沿って束ねられた姿勢（特許請求の範囲に記載された「第１姿勢」に相当）に変化することができる。
【００２７】
主柱１２は、本実施形態では樹脂製の円筒パイプから構成されている。主柱１２の色は、目立ちにくい色（たとえば黒）が好ましい。具体的には、主柱１２の外径は、１２ｍｍ〜２０ｍｍ程度に設定され、主柱１２の長さは、８０ｃｍ〜１２０ｃｍ程度に設定される。主柱１２は、カーボン繊維強化樹脂により構成されるのが好ましい。この主柱１２の下端部は、三脚１１のベースブロック１５に固定されている。主柱１２を固定する手段は特に限定されるものではなく、既知の手段が採用され得る。
【００２８】
なお、主柱１２は、前述のような円筒パイプに限定されるものではなく、後述のように真直棒１３を所定の高さに所定の傾斜姿勢で支持することができるものであれば、他の形状、他の材料から構成されていてもよい。ただし、主柱１２が樹脂製の円筒パイプから構成されることにより、ゴルフ練習具１０が軽量化され、製造及び組立の作業が容易で、コストが抑えられる。
【００２９】
真直棒１３も主柱１２と同様に樹脂製の円筒パイプから構成されている。真直棒１３は、後述のようにスイングの目印として機能するから、真直棒１３の色は、白等の目立つものが好ましい。真直棒１３の外径は、８ｍｍ〜１２ｍｍ程度に設定され、長さは、８０ｃｍ〜１２０ｃｍ程度に設定される。真直棒１３は、後述のように主柱１２から略水平方向に張り出した姿勢で保持されることから、軽量化が要請され、且つ高い曲げ剛性が要請される。このため、真直棒１３は、カーボン繊維強化樹脂により形成されるのが望ましい。
【００３０】
図３は、連結具１４の拡大図である。図４は、連結具１４の分解斜視図である。
【００３１】
連結具１４は、第１固定部１９及び第２固定部２０を備えている。第１固定部１９は、連結具１４を主柱１２の所望の位置に位置決めする。第２固定部２０は、第１固定部１９に係合しており、真直棒１３を保持する。
【００３２】
第１固定部１９は、嵌合部材２１と、この嵌合部材２１に係合して当該嵌合部材２１を主柱１２に締め付ける締結機構２２（特許請求の範囲に記載された「締付部材」に相当）とを備えている。
【００３３】
嵌合部材２１は、本実施形態ではスチール、アルミニウム合金等の金属からなる。もっとも、嵌合部材２１が樹脂その他の材料から構成されていてもよい。嵌合部材２１は、円環状のリング部２３（特許請求の範囲に記載された「リング部」に相当）と、このリング部２３に設けられた締付板２４、２５とを有する。本実施形態では、リング２３及び締付板２４、２５は、一体的に形成されている。もっとも、これらが別部材として構成され、既知の固着手段により固着されていてもよい。
【００３４】
リング部２３の内周面２６は円柱状を呈しており、リング部２３の内径を規定している。リング部２３の内径は、主柱１２の外径に対応しており、主柱１２が容易にリング部２３に挿入することができる。このリング部２３にスリット２７が設けられている。このスリット２７は、リング部２３の内周面２６から径方向に外周面２８まで切り込まれている。
【００３５】
締付板２４、２５は、スリット２７を挟んで対向するように配置されている。締付板２４、２５は、リング部２３の外周面２８に立設されている。つまり、締付板２４、２５は、リング部２３の径方向外方に突出しており、両者の間にスリット２７の幅寸法に相当する隙間が形成されている。この隙間がいわゆる締め代として機能し、締付板２４、２５が互いに近接することによってスリット２７が狭くなってリング部２３の内径が小さくなる。すなわち、リング部２３が主柱１２を締め付けて固定する。また、締付板２４、２５に貫通孔２９が設けられている。この貫通孔２９の機能については後述される。
【００３６】
締結機構２２は、締付ボルト３０と、操作ナット３１と、これらの間に介在されたコイルバネ３６及びワッシャ３７とを備えている。
【００３７】
締付ボルト３０は、本実施形態ではスチール、アルミニウム合金等の金属からなる。この締付ボルト３０は、円柱状の頭部３２と軸部３３とを有する。頭部３２に貫通孔３４が設けられており、この貫通孔３４は、図４が示すように、頭部３２を径方向に貫通している。この貫通孔３４の内径は、真直棒１３の外径に対応している。また、軸部３３の外径は、上記締付板２４、２５に設けられた貫通孔２９の内径に対応しており、軸部３３は貫通孔２９に挿通されるようになっている。この軸部３３の外周面に雄ねじ３５が形成されている。この雄ねじ３５は、操作ナット３１と螺合するようになっている。
【００３８】
締付ボルト３０が上記締付板２４側から嵌合部材２１に挿通され、当該締付板２４及び締付板２５を貫通した状態で、コイルバネ３６及びワッシャ３７が締付板２５側から順に軸部３３に嵌め込まれる。そして、操作ナット３１が軸部３３に係合する。この操作ナット３１に図示されていない雌ねじが形成されており、この雌ねじが上記雄ねじ３５と螺合する。操作ナット３１は、ハンドル３８を備えており、このハンドル３８が操作されることにより容易に操作ナット３１が締付ボルト３０に締め込まれる。この操作ナット３１が時計方向に回転されると、締付ボルト３０に操作ナット３１が締め込まれて上記締付板２４、２５が互いに近接する。すなわち、嵌合部材２１が主柱１２を締め付ける。また、操作ナット３１が反時計方向に回転されると、操作ナット３１が緩んで上記締付板２４、２５が互いに離反する。なお、コイルバネ３６及びワッシャ３７が設けられているので、操作ナット３１の緩みが防止される。
【００３９】
第２固定部２０は、保持ケーシング３９を有している。この保持ケーシング３９と、上記締付ボルト３１の頭部３２によって、第２固定部２０が構成されている。つまり、締付ボルト３１の頭部３２が第２固定部２０の一部（特許請求の範囲に記載された「保持ブロック」に相当）をも兼ねている。前述のように、締付ボルト３１の頭部３２に上記貫通孔３４が設けられている。具体的には、真直棒１３の外径と貫通孔３４の内径との間に、一定のしまりばめ公差が設定されている。このため、真直棒１３は貫通孔３４に押し込まれ、その結果、頭部３２との間に一定の摩擦力が生じる。したがって、貫通孔３４に真直棒１３が挿入された状態では、真直棒１３は、締付ボルト３０に上記摩擦力に相当する保持力で保持される。そして、当該摩擦力に抗する一定の外力が真直棒１３の軸方向に付与されると、真直棒１３は、締付ボルト３０に対してスライドすることができる。
【００４０】
保持ケーシング３９は、本実施形態ではスチール、アルミニウム合金等の金属からなり、円柱状に形成されている。保持ケーシング３９の先端部は縮径されており、外径が漸次小さくなる傾斜面４０が形成されている。保持ケーシング３９の先端径は、上記締付板２５に設けられた貫通孔２９の内径よりも小さい。したがって、図４が示すように、保持ケーシング３９が締付板２５に押し付けられると、保持ケーシング３９の先端部の一部が締付板２５の内部に挿入される。この状態で、保持ケーシング３９は、軸方向（同図において一点鎖線で示される方向）を中心にして回転することができる。
【００４１】
保持ケーシング３９に貫通孔４１が設けられている。この貫通孔４１は、図４が示すように、保持ケーシング３９を径方向（上記軸方向に直交する方向）に貫通している。この貫通孔４１の内径は、上記締結ボルト３０の頭部３２に設けられた貫通孔３４と同様である。図４では図示されていないが、保持ケーシング３９は筒状に形成されている。すなわち、保持ケーシング３９の後端に円形の開口が設けられており、この開口に連続して保持ケーシング３９内にキャビティが形成されている。当該開口の内径は、締結ボルト３０の頭部３２の外径に対応している。そして、締結ボルト３０が保持ケーシング３９内に挿入されると、上記軸部３３は保持ブロック３９を貫通し、上記頭部３２がぴったりと上記キャビティ内に収容される。この状態で、上記頭部３２に設けられた貫通孔３４と保持ブロック３９に設けられた貫通孔４１とが位置合わせされ、両貫通孔４１、３４に真直棒１３が挿入されるようになっている。
【００４２】
つまり、上記締付ボルト３１の頭部３２が真直棒１３を保持した状態で、上記保持ケーシング３９及び上記頭部３２が一体的に上記嵌合部材２１に対して回転することができ、これによって、第２固定部２０は、図１が示すように、真直棒１３を主柱１２の長手方向に対して任意の位置に配置し、任意の角度で交差させることができる。
【００４３】
次に、このゴルフ練習具１０の使用方法が説明される。図５ないし図１２は、ゴルフ練習具１０の種々の使用態様を示す図である。
【００４４】
図５が示すように、ゴルフ練習具１０は、正しいアドレス姿勢を身につける練習を支援する。すなわち、ゴルフ練習具１０が練習者５０の後方に配置される。このとき、ゴルフ練習具１０の真直棒１３が練習者５０の視界に入る位置に配置される。真直棒１３は、練習者５０のアドレスにおける腕の角度等がもっとも適切なものとなるように、その高さ位置及び角度が設定される。練習者５０は、視界に入った真直棒１３を目印にしてアドレスを確認することができる。また、インストラクターが付き添う場合は、インストラクターにとってアドレス姿勢の指導が容易になる。
【００４５】
図６が示すように、ゴルフ練習具１０は、正しいバックスイングを身につける練習を支援する。この場合、ゴルフ練習具１０が練習者５０の後方に配置される。このとき、ゴルフ練習具１０の真直棒１３が練習者５０の視界に入る位置に配置される。真直棒１３は、練習者５０にとって適切なバックスイング、特にクラブヘッドの軌跡が適切なスイングプレーン上に沿うように、その高さ位置及び角度が設定される。練習者５０は、視界に入った真直棒１３を目印にしてバックスイングを確認することができる。また、インストラクターが付き添う場合は、インストラクターにとってバックスイングの指導が容易になる。
【００４６】
図７が示すように、ゴルフ練習具１０は、正しいフォロースイングを身につける練習を支援する。この場合、ゴルフ練習具１０は、練習者５０の前方に配置される。このとき、ゴルフ練習具１０の真直棒１３が練習者５０の視界に入る位置に配置される。真直棒１３は、練習者５０にとって適切なフォロースイング、特にクラブヘッドの軌跡が適切なスイングプレーン上に沿うように、その高さ位置及び角度が設定される。練習者５０は、視界に入った真直棒１３を目印にしてフォロースイングを確認することができる。また、インストラクターが付き添う場合は、インストラクターにとってフォロースイングの指導が容易になる。
【００４７】
図８が示すように、ゴルフ練習具１０は、効果的なパター練習を支援する。この場合、ゴルフ練習具１０の真直棒１３は、同図が示すように主柱１２に対して略直角に交差するように配置され、練習者５０は、この真直棒１３の長手方向が打球方向となるようにアドレスをとる。練習者５０は、視界に入った真直棒１３に沿ってボールを運ぶようにパター練習をする。なお、パター練習においてもスイング練習が重要であるが、本願発明者は、スイング練習に代えて、打球を真直棒１３に沿って運ぶ練習がきわめて重要であるとの知見を得た。そして、かかる知見に基づく上記練習は、きわめて効果的なパター練習を実現する。
【００４８】
図９が示すように、ゴルフ練習具１０は、アプローチショットのバックスイングを身につける練習を支援する。この場合、ゴルフ練習具１０が練習者５０の後方に配置される。このとき、ゴルフ練習具１０の真直棒１３が練習者５０の視界に入る位置に配置される。真直棒１３は、練習者５０にとって適切なアプローチショットのバックスイング、特にクラブヘッドの軌跡が一定の高さ以下となるように、その高さ位置及び角度が設定される。練習者５０は、視界に入った真直棒１３を目印にしてアプローチショットのバックスイングを確認することができ、これにより、いわゆる「低く引いて低く出す」スイングを体得することができる。
【００４９】
図１０が示すように、ゴルフ練習具１０は、スイング中の頭部のぶれを防止する練習を支援する。この場合、ゴルフ練習具１０が練習者５０の前方に配置され、同図が示すように、真直棒１３が練習者５０の頭部の近傍に配置される。練習者５０は、スイング中に頭部が真直棒１３に接触しないようにスイング練習をする。
【００５０】
図１１が示すように、ゴルフ練習具１０は、スイング中の上体の反り上がりを防止する練習を支援する。この場合、ゴルフ練習具１０が練習者５０の前方に配置される。同図が示すように、真直棒１３は、アドレス状態における練習者５０の手首近傍に配置される。仮にスイング中に練習者５０の身体が反り返れば、練習者５０の手首が真直棒１３に接触する。練習者５０は、スイング中に手首及びその付近の部位が真直棒１３に接触しないようにスイング練習をする。なお、この練習は、アドレス姿勢の練習にもなる。つまり、アドレス時において、手首の位置が正しくなければ（特に、手首を伸ばしすぎた姿勢であれば）、スイング中に上体が反り上がりやすい。したがって、この練習は、アドレス時の正しい手首の位置を身につけることもできる。
【００５１】
図１２が示すように、ゴルフ練習具１０は、アドレス時の正しいスタンスを確認する練習を支援する。この場合、ゴルフ練習具１０の真直棒１３は、同図が示すように主柱１２に対して略直角に交差するように配置され、真直棒１３の一部が練習者５０側へ突出するように配置される。練習者５０は、主柱１２及び真直棒１３を目印にしてアドレスをとり、正しいスタンスを確認することができる。
【００５２】
以上のように、本実施形態に係るゴルフ練習具１０は、主柱１２に対して真直棒１３が任意の位置に固定され、練習者５０に対して練習メニューに応じた所望の高さ、角度に配置される。ゴルファーは、このように配置された真直棒１３に沿ってゴルフクラブのクラブヘッドを運ぶようにスイング練習をすることにより、理想的なスイングプレーンを形成するイメージトレーニングが可能である。また、パター練習その他各種練習が効果的に行われる。加えて、上記三脚１１が長手方向に束ねられるので、ゴルフ練習具１０がキャディバッグに容易に収納され、持ち運びが容易である。
【符号の説明】
【００５３】
１０・・・ゴルフ練習具
１１・・・三脚
１２・・・主柱
１３・・・真直棒
１４・・・連結具
１５・・・ベースブロック
１６・・・支持棒
１７・・・支持棒
１８・・・支持棒
１９・・・第１固定具
２０・・・第２固定具
２１・・・嵌合部材
２２・・・締結機構
２３・・・リング部
２４・・・締付板
２５・・・締付板
２６・・・内周面
２７・・・スリット
２８・・・外周面
２９・・・貫通孔
３０・・・締結ボルト
３１・・・操作ナット
３２・・・頭部
３３・・・軸部
３４・・・貫通孔
３５・・・雄ねじ
３６・・・コイルバネ
３７・・・ワッシャ
３８・・・ハンドル
３９・・・保持ケーシング
４０・・・傾斜面  
４１・・・貫通孔
５０・・・練習者
【図１】
2012200484.tif 000003
【図２】
2012200484.tif 000004
【図３】
2012200484.tif 000005
【図４】
2012200484.tif 000006
【図５】
2012200484.tif 000007
【図６】
2012200484.tif 000008
【図７】
2012200484.tif 000009
【図８】
2012200484.tif 000010
【図９】
2012200484.tif 000011
【図１０】
2012200484.tif 000012
【図１１】
2012200484.tif 000013
【図１２】
2012200484.tif 000014